(57)【要約】【課題】コンパクト化ができ、且つ高性能化を図った積層プレート式吸収器を提供すること。【解決手段】上部に２箇所、下部に２箇所の開口部ａ〜ｄを有する所定枚数の伝熱プレート３０〜３７を積層して相互間に加熱又は被冷却媒体流路と、被加熱又は冷却媒体流路とを交互に形成した積層プレート式熱交換器であり、伝熱プレートの表面に山部３８と谷部３９を有する波形部を形成し、隣接する該伝熱プレートとは山部どうしが交差し、加熱又は被冷却媒体流路には吸収溶液と冷媒蒸気とが混合状態で流動し、吸収溶液と冷媒蒸気を上部開口部の一方又は下部開口部の一方から導入し、下部開口部の一方又は上部開口部の一方から導出し、被加熱又は冷却媒体を上部開口部の他方又は下部開口部の他方から導入し、下部開口部の他方又は上部開口部の他方から導出するように構成した。【選択図】図２
2006162154.tif 000002
【特許請求の範囲】
【請求項１】
上部に２箇所、下部に２箇所の開口部を有する所定枚数の伝熱プレートを積層して相互間に加熱又は被冷却媒体流路と、被加熱又は冷却媒体流路とを交互に形成した積層プレート式熱交換器であり、
前記伝熱プレートの表面に山部と谷部を有する波形部を形成し、隣接する該伝熱プレートとは山部どうしが交差し、
前記加熱又は被冷却媒体流路には吸収溶液と冷媒蒸気とが混合状態で流動し、
前記吸収溶液と冷媒蒸気を前記上部開口部の一方又は下部開口部の一方から導入し、前記下部開口部の一方又は上部開口部の一方から導出し、
前記被加熱又は冷却媒体を前記上部開口部の他方又は下部開口部の他方から導入し、前記下部開口部の他方又は上部開口部の他方から導出するように構成したことを特徴とする積層プレート式吸収器。
【請求項２】
請求項１に記載の積層プレート式吸収器において、
前記冷媒蒸気中に前記吸収溶液を微細な液滴状で混入した状態、或いは前記冷媒蒸気を前記吸収溶液中に微細な気泡として混入した状態で前記開口部に導入することを特徴とする積層プレート式吸収器。
【請求項３】
請求項１に記載の積層プレート式吸収器において、
前記加熱又は被冷却媒体の開口部には、吸収溶液を噴出する複数の噴出孔を持つ吸収溶液管又は冷媒蒸気を噴出する複数の噴出孔を持つ冷媒蒸気管が挿入されていることを特徴とする積層プレート式吸収器。
【請求項４】
請求項１乃至３のいずれか１項に記載の積層プレート式吸収器において、
前記被加熱媒体流路中で被加熱媒体を蒸発させることを特徴とする積層プレート式吸収器。
【請求項５】
請求項４に記載の積層プレート式吸収器において、
前記被加熱媒体の出口の過熱度を所定値にするように、該被加熱媒体の前記開口部への導入流量を制御する流量制御手段を設けたことを特徴とする積層プレート式吸収器。
【請求項６】
吸収器、蒸発器、再生器、凝縮器、及び溶液熱交換器を主要構成機器とし、これを管路で接続して構成し、前記蒸発器及び再生器に熱源を、前記凝縮器に冷却源を接続し、前記吸収器の被加熱媒体入口に被加熱媒体液を導入し、被加熱媒体出口から蒸気又は液を含む蒸気の被加熱媒体を導出するように吸収式ヒートポンプを構成し、該吸収式ヒートポンプの吸収器として請求項１乃至５のいずれか１項に記載の積層プレート式吸収器を用いたことを特徴とする吸収式ヒートポンプ。
【請求項７】
吸収器、蒸発器、再生器、凝縮器、及び溶液熱交換器を主要構成機器とし、これを管路で接続して構成し、前記再生器に熱源を、前記凝縮器及び吸収器に冷却源を接続し、前記蒸発器の被冷却媒体入口に被冷却媒体液を導入し、被冷却媒体出口から冷却した冷熱媒体液を導出するように吸収式冷凍機を構成し、該吸収式冷凍機の吸収器として請求項１乃至５のいずれか１項に記載の積層プレート式吸収器を用いたことを特徴とする吸収式冷凍機。
【発明の詳細な説明】
【技術分野】
【０００１】
本発明は、排熱エネルギーを高温エネルギー（蒸気、高温水）に変換する吸収ヒートポンプ或いは高温エネルギーを用いて低温の冷凍を行う吸収冷凍機（高圧冷媒利用）に使用する積層プレート式吸収器、吸収式ヒートポンプ及び吸収式冷凍機に関するものである。
【背景技術】
【０００２】
従来この種の吸収器としては、特許文献１及び特許文献２に記載されているものがある。特許文献１には、吸収式冷温水機のプレート吸収器が記載されており、このプレート吸収器は、プレート間に冷却媒体流路を形成し、プレート面に溶液が液膜状で流下して、周囲の冷媒蒸気を吸収するような構造を採用したものである。また、特許文献２には吸収式ヒートポンプの吸収器と凝縮器を一体化した吸収凝縮一体器が記載されており、該吸収凝縮一体器は積層式の熱交換器であり、凝縮冷媒流路、冷却水流路、吸収液流路、冷却水流路を順に積層化し、吸収器と凝縮器の一体化を図ったものである。
【特許文献１】特許第３４８５７３１号公報
【特許文献２】特許第３３４５９７５号公報
【発明の開示】
【発明が解決しようとする課題】
【０００３】
上記特許文献１に記載のプレート吸収器は、プレート面に溶液が液膜状で流下して、周囲の冷媒蒸気を吸収するような構造を採用している。即ち、容器内に冷却媒体流路を形成したプレート群を設けているので、コンパクト化ができないという問題がある。また、特許文献２に記載の吸収凝縮一体器は、被冷却媒体流路に吸収溶液と冷媒蒸気が流動するが、流路内で冷媒蒸気と吸収溶液が分離、あるいは偏りを生じしやすいという問題があった。
【０００４】
本発明は上述の点に鑑みてなされたもので、コンパクト化ができ、且つ高性能化を図った積層プレート式吸収器、吸収器に該積層プレート式吸収器を用いた吸収式ヒートポンプ及び吸収式冷凍機を提供することを目的とする。
【課題を解決するための手段】
【０００５】
上記課題を解決するため請求項１に記載の発明は、上部に２箇所、下部に２箇所の開口部を有する所定枚数の伝熱プレートを積層して相互間に加熱又は被冷却媒体流路と、被加熱又は冷却媒体流路とを交互に形成した積層プレート式熱交換器であり、伝熱プレートの表面に山部と谷部を有する波形部を形成し、隣接する該伝熱プレートとは山部どうしが交差し、前記加熱又は被冷却媒体流路には吸収溶液と冷媒蒸気とが混合状態で流動し、前記吸収溶液と冷媒蒸気を前記上部開口部の一方又は下部開口部の一方から導入し、前記下部開口部の一方又は上部開口部の一方から導出し、前記被加熱又は冷却媒体を前記上部開口部の他方又は下部開口部の他方から導入し、前記下部開口部の他方又は上部開口部の他方から導出するように構成したことを特徴とする積層プレート式吸収器にある。
【０００６】
請求項２に記載の発明は、請求項１に記載の積層プレート式吸収器において、前記冷媒蒸気中に前記吸収溶液を微細な液滴状で混入した状態、或いは前記冷媒蒸気を前記吸収溶液中に微細な気泡として混入した状態で前記開口部に導入することを特徴とする。
【０００７】
請求項３に記載の発明は、請求項１に記載の積層プレート式吸収器において、前記加熱又は被冷却媒体の開口部には、吸収溶液を噴出する複数の噴出孔を持つ吸収溶液管又は冷媒蒸気を噴出する複数の噴出孔を持つ冷媒蒸気管が挿入されていることを特徴とする。
【０００８】
請求項４に記載の発明は、請求項１乃至３のいずれか１項に記載の積層プレート式吸収器において、前記被加熱媒体流路中で被加熱媒体を蒸発させることを特徴とする。
【０００９】
請求項５に記載の発明は、請求項４に記載の積層プレート式吸収器において、前記被加熱媒体の出口の過熱度を所定値にするように、該被加熱媒体の前記開口部への導入流量を制御する流量制御手段を設けたことを特徴とする。
【００１０】
請求項６に記載の発明は、吸収器、蒸発器、再生器、凝縮器、及び溶液熱交換器を主要構成機器とし、これを管路で接続して構成し、前記蒸発器及び再生器に熱源を、前記凝縮器に冷却源を接続し、前記吸収器の被加熱媒体入口に被加熱媒体液を導入し、被加熱媒体出口から蒸気又は液を含む蒸気の被加熱媒体を導出するように吸収式ヒートポンプを構成し、該吸収式ヒートポンプの吸収器として請求項１乃至５のいずれか１項に記載の積層プレート式吸収器を用いたことを特徴とする。
【００１１】
請求項７に記載の発明は、吸収器、蒸発器、再生器、凝縮器、及び溶液熱交換器を主要構成機器とし、これを管路で接続して構成し、前記再生器に熱源を、前記凝縮器及び吸収器に冷却源を接続し、前記蒸発器の被冷却媒体入口に被冷却媒体液を導入し、被冷却媒体出口から冷却した冷熱媒体液を導出するように吸収式冷凍機を構成し、該吸収式冷凍機の吸収器として請求項１乃至５のいずれか１項に記載の積層プレート式吸収器を用いたことを特徴とする。
【発明の効果】
【００１２】
請求項１乃至５に記載の発明によれば、隣接する伝熱プレートの山部どうしが交差し、相互間に加熱又は被冷却媒体流路が形成された積層プレート式熱交換器の上部開口部の一方又は下部開口部の一方から吸収溶液と冷媒蒸気を導入し、下部開口部の一方又は上部開口部の一方から導出し、被加熱又は被冷却媒体を上部開口部の他方又は下部開口部の他方から導入し、下部開口部の他方又は上部開口部の他方から導出するように構成したので、加熱又は冷却媒体と被加熱又は被冷却媒体との間で効率よく熱交換が行なわれ、コンパクト化、高性能化に優れた積層プレート式吸収器が得られる。
【００１３】
請求項６に記載の発明によれば、吸収器にコンパクト化、高性能化に優れた積層プレート式吸収器を備えた吸収式ヒートポンプが得られる。
【発明を実施するための最良の形態】
【００１４】
請求項７に記載の発明によれば、吸収器にコンパクト化、高性能化に優れた積層プレート式吸収器を備えた吸収式冷凍機が得られる。
【００１５】
以下、本発明の実施の形態例を図面に基いて説明する。図１は本発明に係る吸収式ヒートポンプの構成例を示す図である。図示するように、本吸収式ヒートポンプは、吸収器Ａ、蒸発器Ｅ、再生器Ｇ、凝縮器Ｃ、及び溶液熱交換器Ｘを主要構成機器として具備する。再生器Ｇからの吸収溶液（濃溶液）を溶液ポンプ１により吸収器Ａに導く吸収溶液管２と、吸収器Ａからの希溶液を再生器Ｇに導く希溶液管４と、凝縮器Ｃの冷媒液を冷媒ポンプ５により蒸発器Ｅに導く冷媒管６と、蒸発器Ｅで蒸発をした冷媒蒸気と吸収溶液管２からの吸収溶液と混合させて吸収器Ａに導くエジェクタ７と、再生器Ｇにて発生した冷媒蒸気を凝縮器Ｃに導く流路８とが設けられ、各機器を接続している。
【００１６】
凝縮器Ｃには冷却水１０１を導く冷却水管９、蒸発器Ｅと再生器Ｇとにはそれぞれ熱源温水１０２を導く温水管１０、温水管１１が装備されている。吸収器Ａの被加熱媒体入口Ａ−１には被加熱媒体液としての水１０３を給水する給水管３が接続され、蒸気出口Ａ−２には蒸気１０４を排出する蒸気管１３が接続されている。１４は給水ポンプ１６により給水管３を通って吸収器Ａに供給される水１０３を熱源温水１０２で加熱（予熱）するための熱交換器である。
【００１７】
上記構成の吸収式ヒートポンプにおいて、再生器Ｇの温水管１１に熱源温水１０２を供給することにより、再生器Ｇの中の溶液は蒸発して吸収溶液（濃溶液）となり、該吸収溶液は溶液ポンプ１により溶液熱交換器Ｘを通って加熱され、エジェクタ７を介して吸収器Ａに送られる。一方冷媒ポンプ５により凝縮器Ｃから蒸発器Ｅに送られた冷媒は、温水管１０の熱源温水１０２により加熱され蒸発し、該冷媒蒸気はエジェクタ７を経て吸収溶液管２からの吸収溶液と混合され、加熱媒体入口Ａ−３から吸収器Ａ内に流入する。冷媒蒸気を吸収して吸収液は希溶液となる。蒸発器Ｅからの冷媒蒸気の容積が大きく、エジェクタ７では蒸気に濃溶液が吸収する形で混合している。この際の吸収熱により濃溶液は加熱され沸点上昇に相当する高温度に達し、後に詳述する構成の吸収器Ａで給水管３を通って供給される水１０３を加熱し、蒸気１０４が発生し、蒸気管１３から排出される。
【００１８】
吸収器Ａで補給水１０３を加熱した希溶液は希溶液排出口Ａ−４から排出され吸収器出口タンク２１に流入し、該吸収器出口タンク２１から希溶液管４を通り、溶液熱交換器Ｘで吸収溶液管２を通る吸収溶液を加熱し再生器Ｇに戻る。再生器Ｇで発生した蒸気は流路８を通って凝縮器Ｃに達し、冷却水管９を通る冷却水１０１により冷却され凝縮し、サイクルが繰り返される。
【００１９】
吸収器出口タンク２１には、液面を検出する液面計１７が設けられており、該液面計１７の検出出力を溶液ポンプ１を駆動するインバータ１８に送り、該溶液ポンプ１を制御することにより、再生器Ｇから吸収器Ａに送る吸収溶液の流量を制御して、吸収器出口タンク２１の液面の液位を設定レベルに確保する。また、蒸発器Ｅにも液面を検出する液面計１９が設けられており、液面計１９の検出出力を制御弁２０に出力し、該制御弁２０の開度を制御して、凝縮器Ｃから供給される冷媒流量を制御して、蒸発器Ｅの液面を確保する。また、蒸気管１３には蒸気の温度を検出する温度計２２が設けられおり、この検出出力で蒸気管１３を通る蒸気の過熱度を目標値になるように、給水ポンプ１６を制御して水１０３の流量を制御することにより、液滴を含まない水蒸気１０４を得ることができる。
【００２０】
上記のように吸収器Ａで給水管３から供給される被加熱媒体液である水１０３を加熱し、高温の蒸気１０４とすることにより、被加熱媒体液である水１０３の流量を少なくできる。また、図示は省略するが、吸収器Ａの蒸気出口に気液分離器を設けて気液分離する形態を採用し、水１０３の流量を増やし伝熱を良くしてもよい。また、蒸気の形態ではなく、高温水の状態で得ることもできる。この場合、水１０３の流量が増え、給水ポンプ１６の動力が増える。
【００２１】
図２及び図３は吸収器Ａとして積層プレート式吸収器の内部構成例を示すである。吸収器Ａの筐体内に、８枚の伝熱プレート３０〜３７を収容している。伝熱プレート３０〜３７の中の伝熱プレート３２と伝熱プレート３３及び伝熱プレート３６と伝熱プレート３７はそれぞれの平面図で伝熱プレート３０と伝熱プレート３１及び伝熱プレート３４と伝熱プレート３５に対して１８０°回転させた向きに配置されている。伝熱プレート３０〜３７は夫々薄い金属板であり、プレスにより山３８及び谷３９からなる波形が形成されている。これらの山３８及び谷３９により各伝熱プレートのいわゆる熱交換部の両側にヘリンボン模様が形成されている。
【００２２】
伝熱プレート３０〜３７の各々は矩形状でその各角部には、貫流開口ａ〜ｄが形成されている。全て同じ方向に向けて配置された伝熱プレート３０、３１、３４、３５は、揃えられた貫流開口ａ、ｂ、ｃ、ｄを有し、各伝熱プレート３２、３３、３６、３７は対応する貫流開口ａ〜ｄを有しているが，これらの伝熱プレート３２、３３、３６、３７は他の伝熱プレート３０、３１、３４、３５に対して１８０°回転した向きに配置されているため、該貫流開口ａ〜ｄは違った配置となっている。
【００２３】
伝熱プレート３０と伝熱プレート３１は貫流開口ａ〜ｄの回りでのみ互いに接合され封止されて熱交換板を構成している。伝熱プレート３０と伝熱プレート３１は、筐体内で同じ方向を向いているため、伝熱プレート３１の山３８は伝熱プレート３０の裏面の谷３９内に配置され、この谷３９は伝熱プレート３０の前面では山３８を形成している。従って、伝熱プレート３０と伝熱プレート３１の間には実際上空間が形成されず伝熱プレートは実質的にその全表面にわたって互いに接触し、伝熱プレート３０と伝熱プレート３１の間に熱交換流体は流れない。同様に、伝熱プレート３２と伝熱プレート３３、伝熱プレート３４と伝熱プレート３５、伝熱プレート３６と伝熱プレート３７も互いに接触して各貫流開口ａ〜ｄの周りのみ接合され封止され、それぞれ熱交換板を構成している。
【００２４】
向きの異なる伝熱プレート３１と伝熱プレート３２は図２の点線で示すように、その縁部に沿い液封して接合されている。これにより、伝熱プレート３１と伝熱プレート３２の間に熱交換流体が流れる空間が画定される。更に伝熱プレート３２の貫流開口ｃ、ｂの周りも点線で示すように液封接合されている（貫流開口ｂの周りは伝熱プレート３１に隠れて見えない）。また、伝熱プレート３２の貫流開口ａ、ｄの周りは液封接合されていない。伝熱プレート３１と伝熱プレート３２の間の空間において、伝熱プレート３２の山３８は伝熱プレート３１の前面の谷３９により形成される伝熱プレート３１の裏面の山３８と交差して接触している。
【００２５】
伝熱プレート３１と伝熱プレート３２は当接する山３８と山３８間に形成される全ての接触位置において永久的に結合され、これらの接触位置間では伝熱プレート３１と伝熱プレート３２の間に熱交換流体のフロー空間が形成される。このフロー空間は伝熱プレート３２内の右側の貫流開口ａ、ｄ及び伝熱プレート３１内の貫流開口ａ、ｄに対向する貫流開口ｂ、ｃとが連通するが、この２つの伝熱プレート３１と伝熱プレート３２の他の貫流開口とは連通しない伝熱プレート３１と伝熱プレート３２と同様に伝熱プレート３５と伝熱プレート３６も互いに接触する。伝熱プレート３３と伝熱プレート３４も同様に接触するが、この場合には伝熱プレート３３と伝熱プレート３４間のフロー空間は（図２において）伝熱プレート３２内の右側の貫流開口ａ、ｄ及び伝熱プレート３１内の貫流開口ａ、ｄに対向する開口ｂ、ｃと連通するが、これら２つの伝熱プレート３２、３１は他の貫流開口とは連通しない。
【００２６】
伝熱プレート３１と伝熱プレート３２と同様に伝熱プレート３５と伝熱プレート３６も互いに接触する。伝熱プレート３３と伝熱プレート３４も同様に接触するが、この場合には伝熱プレート間のフロー空間は伝熱プレート３４の左側貫流開口ａ、ｄ及び反対側の伝熱プレート３３の貫流開口ｂ、ｃと連通する。
【００２７】
各伝熱プレートの貫流開口ａ〜ｄは２つの熱交換流体に対して伝熱プレートの貫流流路を形成する。図２の矢印は第１の熱交換流体Ｆ１が伝熱プレート３０の貫流開口ｂを通って内部に導入され同じ伝熱プレート３０の開口ｃを通って戻り、第２の流体Ｆ２が伝熱プレート３０の貫流開口ｄを通って内部へ導入され同じ伝熱プレート３０の貫流開口ａを通って戻る様子を示す。図示するように、熱交換流体Ｆ１は伝熱プレート熱交換器の動作中に伝熱プレート３１と伝熱プレート３２の間及び伝熱プレート３５と伝熱プレート３６の間に平行に流れ、熱交換流体Ｆ２は伝熱プレート３３と伝熱プレート３４の間の空間中を流れる。
【００２８】
図３は積層プレート吸収器に組み込まれたときの伝熱プレートの図２のＩ−Ｉ断面を示す。図示するように、互いなして当接している伝熱プレート３０と３１、伝熱プレート３２と３３、伝熱プレート３４と３５、伝熱プレート３６と３７の間にフロー空間５３、５４、５５が形成されている。フロー空間５３、５５には一方の熱交換流体Ｆ１が流れ、フロー空間５４には他方の熱交換流体Ｆ２が流れる。フロー空間５４だけが熱交換流体Ｆ２が排出される排出口に連通する流路空間５２に連通している。
【００２９】
上記熱交換流体Ｆ１として、図１のエジェクタからの冷媒蒸気と吸収溶液の混合流体を流し、熱交換流体Ｆ２として水管３からの水１０３を流すことにより、混合流体と水１０３との間で熱交換が行なわれ、水１０３は加熱され蒸気１０４となる。
【００３０】
図４及び図５は吸収器Ａとして積層プレート式吸収器の他の構成例を示す図である。図示するように２種類の伝熱プレート４１、４１’を交互に所要枚数積層し、その各伝熱プレート４１、４１’間に熱交換流体Ｆ１が流れる流路５０及び熱交換流体Ｆ２が流れる流路５１を交互に形成する。各伝熱プレート４１、４１’は周縁部に略Ｌ字状に折れ曲がったリム４２、４２’を形成してあり、また、四隅には、熱交換流体Ｆ１あるいはＦ２の夫々を流路へ又は流路から導くための導入口及び導出口を構成する開口４３、４３’が形成されている。
【００３１】
隣接する伝熱プレート４１、４１’同士のリム４２、４２’及び開口４３、４３’の周囲はロー付けによって恒久的に結合される。各伝熱プレート４１、４１’の表面には、隣接する伝熱プレート間で互いに交差衝合して熱交換流体Ｆ１が流れる流路５０、熱交換流体Ｆ２が流れる流路５１が形成されている。支持点を形成する波形部４４、４４’が形成され、その支持点がロー付けされている。そして合体接合した伝熱プレート４１、４１’の積層体４５の両側に一対のフレーム４６、４７をロー付けによって接合してあり、その一方のフレーム４６に開口４３、４３’と連通するノズル４８、４９を取付けてある。
【００３２】
上記熱交換流体Ｆ１として図１のエジェクタからの冷媒蒸気と濃溶液の混合流体を流し、熱交換流体Ｆ２として給水管３からの水１０３を流すことにより、混合流体と補給水との間で熱交換が行なわれ、水１０３は加熱され蒸気１０４となる。
【００３３】
図６は吸収器Ａの他の構成例を示す図である。図６（ａ）は吸収器Ａの断面図であり、図６（ｂ）はＩＩ−ＩＩ断面図である。吸収器Ａの上部に設けられた加熱媒体入口Ａ−３には冷媒蒸気管６１が接続されており、該冷媒蒸気管６１内を貫通して吸収溶液ノズル管６２を流路内に配置されている。冷媒蒸気管６１には、蒸発器Ｅからの冷媒蒸気１０５が供給されており、吸収溶液ノズル管６２には吸収溶液管２から吸収溶液１０６が供給されている。
【００３４】
そして冷媒蒸気１０５を吸収器Ａ内の伝熱プレート６３間の流路間に流すと共に、該冷媒蒸気１０５中に吸収溶液ノズル管６２の噴出口６２ａから吸収溶液１０６を噴出する。これにより伝熱プレート６３間の流路に冷媒蒸気と濃溶液の混合流体が均一に分配され、図示しない流路を流れる水との間で熱交換が行なわれ、水は加熱され、蒸気となって吸収器Ａから排出される。また、吸収溶液１０６は冷媒蒸気１０５を吸収し希溶液１０７となって、吸収器Ａの下部に設けられた希溶液排出口に接続された希溶液排出管６４を通って吸収器出口タンク２１に導かれる。なお、吸収溶液の噴出口６２ａは伝熱プレート６３間の流路に対応して設けた方が好ましい。
【００３５】
図７は吸収器Ａの他の構成例を示す図（断面図）である。ここでは吸収器Ａの下部に熱媒体入口Ａ−３に吸収溶液導入管６５を接続し、該吸収液導入管６５を貫通して冷媒蒸気ノズル管６６を吸収器Ａの溶媒流路内に配置している。冷媒蒸気ノズル管６６には、蒸発器Ｅからの冷媒蒸気１０５が供給されており、吸収溶液導入管６５には吸収溶液管２から濃溶液１０６が供給されている。
【００３６】
そして吸収溶液導入管６５から吸収溶液１０６を吸収器Ａの伝熱プレート６３間の流路間に供給すると共に、冷媒蒸気１０５を冷媒蒸気ノズル管６６の噴出口６６ａから噴出する。冷媒蒸気と吸収溶液の混合流体が伝熱プレート６３間の流路間に均一に分配され、図示しない流路を流れる水との間で熱交換が行なわれ、水は加熱され、蒸気となって吸収器Ａから排出される。また、吸収溶液１０６は冷媒蒸気１０５を吸収し希溶液（吸収溶液）１０７となって、吸収器Ａの上部に設けられた吸収排出口に接続された希溶液排出管６４を通って吸収器出口タンク２１に導かれる。
【００３７】
上記例では排熱エネルギーである熱源温水１０２を高温エネルギー（蒸気、高温水）に変換する吸収ヒートポンプを説明したが、本発明は高温エネルギー（例えば蒸気）を用いて、低温の冷凍を行なう吸収式冷凍機（高圧冷媒利用）にも利用できる。図８は本発明に係る吸収式冷凍機の構成例を示す図である。図示するように、本吸収式冷凍機は、吸収器Ａ、蒸発器Ｅ、再生器Ｇ、凝縮器Ｃ、及び溶液熱交換器Ｘを主要構成機器として具備する。凝縮器Ｃに冷却水１０１を導く冷却水管９、再生器Ｇには熱源を導く熱源管１４、吸収器Ａには冷却水１０１を導く冷却水管１５、蒸発器Ｅには被冷却媒体である冷水１０６を導く冷水管６７が装備されている。
【００３８】
上記構成の吸収式冷凍機において、再生器Ｇの熱源管１４に熱源として蒸気１０５を供給することにより、再生器Ｇに供給される溶液は加熱され蒸気を含む溶液となって気液分離器２３に送られ、該気液分離器２３で蒸気が分離された吸収溶液（濃溶液）に供給される。一方気液分離器２３で分離された蒸気は凝縮器Ｃに供給され（凝縮器Ｃには蒸気のみが供給される）、冷却水管９に導かれた冷却水１０１により冷却され、凝縮して冷媒液となって凝縮器出口タンク２４に導かれる。該凝縮器出口タンク２４内の冷媒液は冷媒管６及び気液分離器２５を通って蒸発器Ｅに供給され、該蒸発器Ｅで冷水管６７に供給される冷水１０６の熱を奪って蒸発する。これにより冷水１０６は冷却され低温水となって所定の場所に供給される。
【００３９】
蒸発器Ｅで蒸発した冷媒蒸気は気液分離器２５で冷媒液が除去され、気液分離器２３からの吸収溶液と混合され吸収器Ａに供給される。なお、気液分離器２５は気液分離器２３からの吸収溶液が蒸発器Ｅに逆流するのを防止する作用も奏する。吸収器Ａでは冷却水管１５に供給される冷却水１０１により冷媒蒸気が吸収溶液に吸収されることにより発生する吸収熱を奪い該冷却水１０１は加熱される。冷媒蒸気を吸収した吸収溶液、即ち濃溶液は希溶液となった吸収器出口タンク２６に導かれる。該吸収器出口タンク２６内の希溶液は溶液ポンプ１により、希溶液管４を通って溶液熱交換器Ｘに供給され、該溶液熱交換器Ｘで吸収溶液を加熱して再生器Ｇに供給される。
【００４０】
２７は再生器出口タンクであり、該再生器出口タンク２７には液面計２８が設けられ、該液面計２８の検出出力でインバータ１８を制御し、再生器出口タンク２７の液面レベルが所定レベルになるように溶液ポンプ１を制御する。また、凝縮器出口タンク２４に液面計６８が設けられ、該液面計６８の検出出力で制御弁２９の開度を制御し、凝縮器出口タンク２４の液面レベルが所定レベルになるように制御する。これにより、上記のように蒸発器Ｅに供給された被冷却媒体である冷水１０６は冷却され低温の冷水となって所定の場所に供給される。
【００４１】
以上本発明の実施形態を説明したが、本発明は上記実施形態に限定されるものではなく、特許請求の範囲、及び明細書と図面に記載された技術的思想の範囲内において種々の変形が可能である。
【図面の簡単な説明】
【００４２】
【図１】本発明に係る吸収式ヒートポンプの構成例を示す図である。
【図２】本発明に係る積層プレート式吸収器の積層伝熱プレートの構成例を示す外観図である。
【図３】図２のＩ−Ｉ断面図である。
【図４】本発明に係る積層プレート式吸収器の構成例を示す断面図である。
【図５】図４に示す積層プレート式吸収器の伝熱プレートを示す平面図である。
【図６】本発明に係る積層プレート式吸収器の構成例を示す図で、（ａ）は断面図、（ｂ）はＩＩ−ＩＩ断面図である。
【図７】本発明に係る積層プレート式吸収器の構成例を示す断面図である。
【図８】本発明に係る吸収式冷凍機の構成例を示す図である。
【符号の説明】
【００４３】
Ａ      吸収器
Ｅ      蒸発器
Ｃ      凝縮器
Ｘ      溶液熱交換器
Ｇ      再生器
１      溶液ポンプ
２      吸収溶液管
３      給水管
４      希溶液管
５      冷媒ポンプ
６      冷媒管
７      エジェクタ
８      流路
９      冷却水管
１０    温水管
１１    温水管
１３    蒸気管
１４    熱源管
１５    冷却水管
１６    給水ポンプ
１７    液面計
１８    インバータ
１９    液面計
２０    制御弁
２１    吸収器出口タンク
２２    温度計
２３    気液分離器
２４    凝縮器出口タンク
２５    気液分離器
２６    吸収器出口タンク
２７    再生器出口タンク
２８    液面計
２９    制御弁
３０    伝熱プレート
３１    伝熱プレート
３２    伝熱プレート
３３    伝熱プレート
３４    伝熱プレート
３５    伝熱プレート
３６    伝熱プレート
３７    伝熱プレート
３８    山
３９    谷
４１    伝熱プレート
４１’  伝熱プレート
４２    リム
４２’  リム
４３    開口
４３’  開口
４４    波形部
４４’  波形部
４５    積層体
４６    フレーム
４７    フレーム
４８    ノズル
４９    ノズル
５０    流路
５１    流路
５２    流路空間
５３    フロー空間
５４    フロー空間
５５    フロー空間
６１    冷媒蒸気管
６２    吸収溶液ノズル管
６３    伝熱プレート
６４    希溶液排出管
６５    吸収溶液導入管
６６    冷媒蒸気ノズル管
６７    冷水管
６８    液面計
【図１】
2006162154.tif 000003
【図２】
2006162154.tif 000004
【図３】
2006162154.tif 000005
【図４】
2006162154.tif 000006
【図５】
2006162154.tif 000007
【図６】
2006162154.tif 000008
【図７】
2006162154.tif 000009
【図８】
2006162154.tif 000010